(57)【要約】      （修正有）【課題】広告の高い認知度を得られ且つ広告の中でも特に重要度の高いポイントを正確にアピール可能であるといった、高性能な広告システムを提供する。【解決手段】広告ページリンク部及び所定ページリンク部によって所定の階層構造を有するようにした広告ページ及び所定ページを格納するサーバ装置Ｐ１と、広告ページと所定ページとを所定の階層構造にしたがって表示し得るようにした端末装置Ｐ２とを備えてなるシステムであって、端末装置Ｐ２が、広告ページおよび所定ページを表示するページ表示手段２ｄと、広告ページリンク部および所定ページリンク部に対して、マウスポインタが重なったか否かを判定する重なり判定手段２ｅと、重なり判定手段２ｅで、広告ページリンク部又は所定ページリンク部に対してマウスポインタが重なったと判定された際に、そのマウスポインタの表示態様を変容させるマウスポインタ表示態様変容手段２ｆとを具備するようにした。【選択図】図１３
2005301502.tif 000002
【特許請求の範囲】
【請求項１】
一の広告ページに表示される広告内に、一の広告ページと異なる他の広告ページを表示させるための広告ページリンク部を視認不能に設けるとともに、複数の一および他の広告ページのうち１以上の広告ページに表示される広告内に、所定ページを表示させるための所定ページリンク部を視認不能に設けることにより、それら広告ページリンク部及び所定ページリンク部によって所定の階層構造を有するようにした前記広告ページ及び前記所定ページを格納するサーバ装置と、
前記サーバ装置に対して通信可能に接続され、前記広告ページと前記所定ページとを前記所定の階層構造にしたがって表示し得るようにした端末装置とを備えてなるシステムであって、
前記端末装置が、
前記サーバ装置から受信した広告ページおよび所定ページを表示するページ表示手段と、
前記ページ表示手段により表示されるページに設けられてなる前記広告ページリンク部および前記所定ページリンク部に対して、マウスポインタが重なったか否かを判定する重なり判定手段と、
前記重なり判定手段で、前記広告ページリンク部又は所定ページリンク部に対してマウスポインタが重なったと判定された際に、そのマウスポインタの表示態様を変容させるマウスポインタ表示態様変容手段とを具備することを特徴とする広告システム。
【請求項２】
前記所定の階層構造が２分木型ツリー構造であることを特徴とする請求項１記載の広告システム。
【請求項３】
下位階層にページを有さずツリー構造におけるリーフを構成する全ての広告ページまたは所定ページが、最上位階層に位置付けられツリー構造におけるルートを構成するトップページから等しい深度の階層に位置付けられていることを特徴とする請求項２記載の広告システム。
【請求項４】
下位階層に進むにしたがって、その上位階層よりも広告ページの広告内容が詳しくなるように構成していることを特徴とする請求項２または３記載の広告システム。
【請求項５】
前記所定の階層構造を構成すべく最上位階層に位置付けられてなりツリー構造におけるルートを構成するトップページへの入り口となるポータルページを設け、
このポータルページに、複数の広告主がそれぞれ提供する複数の広告を表示するように構成していることを特徴とする請求項２乃至４いずれか記載の広告システム。
【請求項６】
前記の所定ページが、前記広告の広告主から提供される景品に当選した旨を示す当選ページであることを特徴とする請求項５記載の広告システム。
【請求項７】
前記景品の当選個数を管理する当選個数管理手段を具備し、
前記当選個数管理手段で管理され且つ利用者に提供し得る残りの当選個数を、前記広告ページに表示するように構成していることを特徴とする請求項６記載の広告システム。
【請求項８】
前記所定の階層構造を明示する階層構造明示手段を具備することを特徴とする請求項１乃至７いずれか記載の広告システム。
【請求項９】
所定ページへのアクセスがあったか否かを管理する所定ページアクセス管理手段と、
前記所定ページアクセス管理手段が、所定ページへのアクセスがあったと判定した際に、その所定ページへの再度のアクセスを禁止する所定ページアクセス禁止手段とを具備していることを特徴とする請求項１乃至８いずれか記載の広告システム。
【請求項１０】
前記広告ページを表示している表示時間を滞留時間として計測する滞留時間計測手段を具備していることを特徴とする請求項１乃至９いずれか記載の広告システム。
【請求項１１】
キーワードを受け付けるキーワード受付手段と、
前記キーワードが正しいものであるか否かを判定するキーワード判定手段とを具備し、
キーワード判定手段が、前記キーワード受付手段で受け付けたキーワードが正しいものであると判定した際に、前記ページ表示部が、他の広告ページまたは所定ページを、前記一の広告ページに替えて表示するように構成していることを特徴とする請求項１乃至１０いずれか記載の広告システム。
【請求項１２】
前記キーワードが、前記広告に関するものであることを特徴とする請求項１１記載の広告システム。
【請求項１３】
前記キーワードが、前記広告に係る質問に対する答えであることを特徴とする請求項１２記載の広告システム。
【請求項１４】
前記広告ページおよび前記所定ページを表示可能にする開始時間が定められてなるものであって、その開始時間までの残り時間を開始残り時間として明示する開始残り時間明示手段を具備することを特徴とする請求項１乃至１３いずれか記載の広告システム。
【請求項１５】
前記所定の階層構造が、前記所定ページと同階層に、前記所定ページでない旨を示す所定外ページを備えるものであり、
また、前記広告ページが、前記所定ページリンク部とともに前記所定外ページを表示させるための所定外ページリンク部を備えるものであり、
さらに、前記ページ表示手段が、前記所定外ページをさらに表示し得るものであり、
且つ、前記重なり判定手段が、前記ページ表示手段により表示される所定外ページに設けられてなる所定外ページリンク部に対してマウスポインタが重なったか否かをさらに判定し得るものであり、
さらにまた、前記マウスポインタ表示態様変容手段が、前記重なり判定手段で、前記所定外ページリンク部に対してマウスポインタが重なったと判定した際に、そのマウスポインタの表示態様をさらに変容させるように構成したものであることを特徴とする請求項１乃至１４いずれか記載の広告システム。
【請求項１６】
前記所定外ページが、前記所定の階層構造における最上位階層に戻り得るリターン部を具備していることを特徴とする請求項１５記載の広告システム。
【請求項１７】
請求項１乃至１６いずれか記載の広告システムを構成する端末装置であって、
前記ページ表示手段と、前記重なり判定手段と、前記マウスポインタ表示態様変容手段とを少なくとも具備することを特徴とする端末装置。
【請求項１８】
コンピュータを動作させて、
一の広告ページに表示される広告内に、一の広告ページと異なる他の広告ページを表示させるための広告ページリンク部を視認不能に設けるとともに、複数の一および他の広告ページのうち１以上の広告ページに表示される広告内に、所定ページを表示させるための所定ページリンク部を視認不能に設けることにより、それら広告ページリンク部及び所定ページリンク部によって所定の階層構造を有するようにした広告ページ及び所定ページを、その所定の階層構造にしたがって表示し得るようにしたプログラムであって、
コンピュータを、
前記広告ページおよび所定ページを表示するページ表示手段と、
前記ページ表示手段により表示されるページに設けられてなる前記広告ページリンク部および前記所定ページリンク部に対して、マウスポインタが重なったか否かを判定する重なり判定手段と、
前記重なり判定手段で、前記広告ページリンク部又は所定ページリンク部に対してマウスポインタが重なったと判定された際に、そのマウスポインタの表示態様を変容させるマウスポインタ表示態様変容手段として機能させるための端末装置用プログラム。
【発明の詳細な説明】
【技術分野】
【０００１】
本発明は、利用者に対して広告を効果的に配信し得る広告システム、端末装置、および端末装置用プログラムに関するものである。
【背景技術】
【０００２】
近年のコンピュータや通信インフラの発達にともない、インターネットなどの通信回線網を利用して、利用者に広告を配信する広告システムが提供されるようになってきている。この種の広告システムの具体的なものとしては、利用者にゲームを行わせ、そのゲームの実行結果に基づいて決定した商品を利用者に提供することにより、高い広告効果を得られるようにしたものが知られている（例えば、特許文献１参照。）。
【特許文献１】特開２００３−３４５９３５号公報（第２〜４頁、第１図、第２図）
【発明の開示】
【発明が解決しようとする課題】
【０００３】
ところが、従来の技術は、懸賞のためのゲームを起動させ得るトリガー（例えば、ゲームを開始するためのコインなどを示す画像情報）を広告ページ（広告サイト）に設け、そのトリガーを押し下げすることによってゲームページへジャンプし得るように構成してはいるものの、そのトリガーは広告とは直接または間接的にも関係のないものである。したがって、広告を利用者に認知させることを有効にできないといった課題を有している。
【０００４】
本発明は、このような課題に着目してなされたものであって、主たる目的は、広告の高い認知度を得られ且つ広告の中でも特に重要度の高いポイントを正確にアピール可能であるといった、高性能な広告システムを提供することにある。
【課題を解決するための手段】
【０００５】
すなわち、本発明の広告システムは、一の広告ページに表示される広告内に、一の広告ページと異なる他の広告ページを表示させるための広告ページリンク部を視認不能に設けるとともに、複数の一および他の広告ページのうち１以上の広告ページに表示される広告内に、所定ページを表示させるための所定ページリンク部を視認不能に設けることにより、それら広告ページリンク部及び所定ページリンク部によって所定の階層構造を有するようにした前記広告ページ及び前記所定ページを格納するサーバ装置と、前記サーバ装置に対して通信可能に接続され、前記広告ページと前記所定ページとを前記所定の階層構造にしたがって表示し得るようにした端末装置とを備えてなるシステムであって、前記端末装置が、前記サーバ装置から受信した広告ページおよび所定ページを表示するページ表示手段と、前記ページ表示手段により表示されるページに設けられてなる前記広告ページリンク部および前記所定ページリンク部に対して、マウスポインタが重なったか否かを判定する重なり判定手段と、前記重なり判定手段で、前記広告ページリンク部又は所定ページリンク部に対してマウスポインタが重なったと判定された際に、そのマウスポインタの表示態様を変容させるマウスポインタ表示態様変容手段とを具備することを特徴とする。
【０００６】
ここで、「広告内に広告ページリンク部などを視認不能に設ける」とは、例えば、マウスポインタが重なって変容しなければハイパーリンクが埋め込まれていることを視認できないように、ＪＰＥＧ画像やＧＩＦ画像などで構成される広告の一部分に、他の広告ページなどを表示させ得るハイパーリンクを設定したものをいう。
【０００７】
このようなものであれば、広告の上でマウスポインタを任意に移動させて広告ページリンク部または所定ページリンク部（以下、リンク部と総称する。）を探し出すといった動作をする際に、重なり判定手段が、リンク部とマウスポインタとが重なったと判定しなければ、マウスポインタ表示態様変容手段がマウスポインタを変容させないため、そのマウスポインタが変容するまでは、利用者は、マウスポインタを広告上を隈無く移動することを余儀なくされる。これにより、利用者は、より深く広告を見ることとなるので、広告の認知度をより高くすることができる。また、リンク部を、広告の重要なポイントに設ければ、その重要なポイントを有効に利用者へアピールすることができる。
【０００８】
すなわち、広告の高い認知度を得られ且つ広告の中でも特に重要度の高いポイントを正確にアピール可能であるといった高性能な広告システムを提供することができる。
【０００９】
なお、前記所定の階層構造が２分木型ツリー構造であれば、非常に簡単に、その所定の階層構造を構築できる。
【００１０】
そして、下位階層にページを有さずツリー構造におけるリーフを構成する全ての広告ページまたは所定ページが、最上位階層に位置付けられツリー構造におけるルートを構成するトップページから等しい深度の階層に位置付けられているようにすれば、所定の階層構造の単純化を図れ使いやすい。
【００１１】
また、利用者に対して、理解をより深めさせたり効果的な印象を与えたりすることが可能な広告を提供するためには、下位階層に進むにしたがって、その上位階層よりも広告ページの広告内容が詳しくなるように構成していることが望ましい。ここで、本発明における「下位階層に進むにしたがって、その上位階層よりも広告ページの広告内容が詳しくなる」ものには、下位階層の広告ページがその上位階層の広告ページよりも記載量が多いものや、下位階層の広告ページがその上位階層の広告ページよりも新たで具体的な説明がなされているものなどが挙げられる。
【００１２】
また、複数の広告主が提供する広告を表示して、さらなる利用者の利用を促し得るようにするためには、前記所定の階層構造を構成すべく最上位階層に位置付けられてなりツリー構造におけるルートを構成するトップページへの入り口となるポータルページを設け、このポータルページに、複数の広告主がそれぞれ提供する複数の広告を表示するように構成していることが好ましい。
【００１３】
景品により利用者の参加意欲を有効に刺激して、システムの利用を効果的に促すようにするためには、前記の所定ページが、前記広告の広告主から提供される景品に当選した旨を示す当選ページであることが望ましい。
【００１４】
そして、前記景品の当選個数を管理する当選個数管理手段を具備し、前記当選個数管理手段で管理され且つ利用者に提供し得る残りの当選個数を、前記広告ページに表示するように構成すれば、より有効にシステムの利用を促すことができる。
【００１５】
ところで、前記所定の階層構造を明示する階層構造明示手段を具備するようにすれば、利用者は所定ページの位置を具体的に知ることができるので、当該システムの公平性および正確性を容易に理解させてることができ、また、所定ページへのアクセスした利用者を公表することなく、利用者のプライバシーを守りながら、当該システムに対する信頼性及び公平性を保つことができる。さらに、所定ページへのアクセスへの期待を高めて当該システムへの参加率をも高めることもできる。
【００１６】
また、所定ページへのアクセスがあったか否かを管理する所定ページアクセス管理手段と、前記所定ページアクセス管理手段が、所定ページへのアクセスがあったと判定した際に、その所定ページへの再度のアクセスを禁止する所定ページアクセス禁止手段とを具備するようにすれば、一度アクセスのあった所定ページへの再度のアクセスを有効に防止して、利用者に無駄な動作をさせることのない使い勝手のよいシステムを提供することができる。
【００１７】
さらに、前記広告ページを表示している表示時間を滞留時間として計測する滞留時間計測手段を具備するようにすれば、滞留時間から広告の露出時間を知ることができるので、その広告の費用対効果などを知ることができる。
【００１８】
また、キーワードを受け付けるキーワード受付手段と、前記キーワードが正しいものであるか否かを判定するキーワード判定手段とを具備し、キーワード判定手段が、前記キーワード受付手段で受け付けたキーワードが正しいものであると判定した際に、前記ページ表示部が、他の広告ページまたは所定ページを、前記一の広告ページに替えて表示するように構成すれば、キーワード受付手段で受け付けたキーワードが正しいもので無ければ、広告ページや所定ページの表示がなされないので、そのキーワードによってセキュリティを確保可能なシステムを提供できる。
【００１９】
なお、前記キーワードが、前記広告に関するものであれば、そのキーワードと広告とを有効に関連させられるので、効果的な広告を提供することができる。そして、前記キーワードが、前記広告に係る質問に対する答えであれば、その効果は顕著なものとなる。
【００２０】
また、前記広告ページおよび前記所定ページを表示可能にする開始時間が定められてなるものであって、その開始時間までの残り時間を開始残り時間として明示する開始残り時間明示手段を具備するものであれば、利用者は開始時間を具体的に知ることができるので、時間を有効利用できる。また、複数の広告を提供する際に、それぞれの開始時間をずらすようにすればシステムの負荷分散も可能となる。
【００２１】
加えて、前記所定の階層構造が、前記所定ページと同階層に、前記所定ページでない旨を示す所定外ページを備えるものであり、また、前記広告ページが、前記所定ページリンク部とともに前記所定外ページを表示させるための所定外ページリンク部を備えるものであり、さらに、前記ページ表示手段が、前記所定外ページをさらに表示し得るものであり、且つ、前記重なり判定手段が、前記ページ表示手段により表示される所定外ページに設けられてなる所定外ページリンク部に対してマウスポインタが重なったか否かをさらに判定し得るものであり、さらにまた、前記マウスポインタ表示態様変容手段が、前記重なり判定手段で、前記所定外ページリンク部に対してマウスポインタが重なったと判定した際に、そのマウスポインタの表示態様をさらに変容させるように構成したものであれば、利用者は、所定ページであるか所定外ページであるのかを、択一的に知ることができる。
【００２２】
また、所定外ページにアクセスした利用者が、当該システムの再度の利用を行い得るようにするためには、前記所定外ページが、前記所定の階層構造における最上位階層に戻り得るリターン部を具備していることが望ましい。
【００２３】
ところで、本発明の広告システムを構成する端末装置の望ましい態様としては、その端末装置が、前記ページ表示手段と、前記重なり判定手段と、前記マウスポインタ表示態様変容手段とを少なくとも具備するものが挙げられる。
【発明の効果】
【００２４】
以上説明したように本発明の広告システムによれば、広告の上でマウスポインタを任意に移動させてリンク部を探し出すといった動作をする際に、重なり判定手段が、リンク部とマウスポインタとが重なったと判定しなければ、マウスポインタ表示態様変容手段がマウスポインタを変容させないため、そのマウスポインタが変容するまでは、利用者は、マウスポインタを広告上を隈無く移動することを余儀なくされる。これにより、利用者は、より深く広告を見ることとなるので、広告の認知度をより高くすることができる。また、リンク部を、広告の重要なポイントに設ければ、その重要なポイントを有効に利用者へアピールすることができる。
【００２５】
すなわち、広告の高い認知度を得られ且つ広告の中でも特に重要度の高いポイントを正確にアピール可能であるといった、高性能な広告システムを提供することができる。
【発明を実施するための最良の形態】
【００２６】
以下、本発明の一実施形態を、図面を参照して説明する。
【００２７】
本発明の一実施形態における広告システムＡは、図１に示すように、広告主の広告を格納するサーバ装置Ｐ１と、利用者が利用するとともに前記サーバ装置Ｐ１から広告を適宜ダウンロードして表示し得るようにした端末装置Ｐ２とを備え、これらサーバ装置Ｐ１と端末装置Ｐ２とが双方向通信可能になるように、それらサーバ装置Ｐ１と端末装置Ｐ２とを、インターネットＩＮＥＴなどの通信回線網に接続させてなるものである。なお、本実施形態において、前記広告は、端末装置Ｐ２のＷＥＢページ上などに表示可能にデジタル処理されたＪＰＥＧやＧＩＦなどの静止画データとしているが、動画データとしてもよい。
【００２８】
以下、前記サーバ装置Ｐ１と端末装置Ｐ２とについて具体的に説明する前に、本実施形態で取り扱うところのポータルページ（図２）、広告ページ（トップページを含む）（図３〜図７）、所定ページたる当選ページ（図８）、及び所定外ページたる落選ページ（図９）について説明をしておく。
【００２９】
なお、説明の便宜上、各ページの表示態様と、各ページのリンク関係等を示す全体構造とに分けて説明を行う。
【００３０】
まず、各ページの表示態様について説明する。
【００３１】
ポータルページには、図２に示すように、複数の広告主（Ａ社乃至Ｌ社）によってそれぞれ提供される複数の広告ａ（Ａ社広告乃至Ｌ社広告）、それぞれの開始時刻及び開始までの残り時間ｂなどが表示されるように構成している。
【００３２】
トップページには、図３に示すように、広告表示領域として当該ページ略中央部に設定されるウィンドウ枠Ｗ内に、広告の重要なポイントとして商品写真及び商品説明文などが表示され、ウィンドウ枠Ｗ上側に、ルールの説明、当初の景品の当選個数ｋ１（景品の数）及び現在の景品の当選個数ｋ２（景品の残数）などが表示され、さらに、ウィンドウ枠Ｗ下側に、後述する所定の階層構造を概略的に示す図（以下、階層概略図Ｙと称する。）などが表示されるように構成している。なお、階層概略図Ｙにおいて、当該ページの位置が明示されるようにしている。
【００３３】
トップページ以外の広告ページの表示態様を、図４〜図７に示しているが、トップページの表示態様と同様であるので説明を省略する。
【００３４】
当選ページには、図８に示すように、当該ページ略中央部のウィンドウ枠Ｗ内に、景品が当選した旨を示す当選メッセージと、景品の外観などが表示されるように構成している。また、ウィンドウ枠Ｗ下側には、トップページと同様の階層概略図Ｙなどが表示されるようにしている。
【００３５】
落選ページには、図９に示すように、当該ページ略中央部のウィンドウ枠Ｗ内に、落選した旨を示す落選メッセージと、トップページに戻るためのリンク部たるボタンＢ１や、再度のチャレンジを促すボタンＢ２が表示されるように構成している。また、ウィンドウ枠Ｗ下側には、トップページと同様の階層概略図Ｙなどが表示されるようにしている。ボタンＢ１は、マウスポインタをクリックした際に、当該落選ページに替えてトップページを表示するためのものである。なお、トップページに替えてポータルページを表示するように構成してもよい。
【００３６】
次に、全体構造について説明する。
【００３７】
ポータルページ、広告ページ、当選ページ、及び落選ページのうち、ポータルページ以外の広告ページ、当選ページ、及び落選ページが、広告ページリンク部、所定ページリンク部たる当選ページリンク部、及び所定外ページリンク部たる落選ページリンク部によって、所定の階層構造を有するように構成している。
【００３８】
より具体的には、一の広告ページに表示される広告内に、一の広告ページと異なる他の広告ページを表示させるための広告ページリンク部を視認不能に設けるとともに、複数の一および他の広告ページのうち１以上の広告ページに表示される広告内に、当選ページを表示させるための当選ページリンク部と落選ページを表示させるための落選ページリンク部とを視認不能に設けることにより、それら広告ページリンク部、当選ページリンク部及び落選ページリンク部によって所定の階層構造を有するようにしている。
【００３９】
なお、本実施形態では、図１０の破線枠内において、前記所定の階層構造が、６階層の２分木型ツリー構造を有するようにしている。換言すれば、１階層の広告内の広告ページリンク部は２階層の広告を表示し、２階層の広告内の広告ページリンク部は３階層の広告を表示し、３階層の広告内の広告ページリンク部は４階層の広告を表示し、４階層の広告内の広告ページリンク部は５階層の広告を表示し、５階層の広告ページリンク部は、当選ページまたは落選ページを表示し得るように構成している。
【００４０】
ここで、特筆すべき点として、最下位階層たる第６階層に当選ページおよび落選ページのいずれかを配置するとともに、それら当選ページおよび落選ページが、最上位階層たる第1階層に位置付けられ且つツリー構造におけるルートを構成するトップページから等しい深度となるように構成している点である。
【００４１】
加えて、本実施形態では、図１１に示すように、第１階層から第５階層に進むにしたがって、その上位階層よりも広告ページの広告内容が詳しくなるように構成している。
【００４２】
なお、本実施形態では、第1階層を構成するトップページのさらに上位の階層に第０階層としてポータルページを設けている。また、ポータルページの広告内に、トップページを表示させるための広告ページリンク部を視認不能に設けている。
【００４３】
ところで、上述の広告ページリンク部、当選ページリンク部及び落選ページリンク部（以下、リンク部類Ｄと総称する。）について詳しく説明すると、このリンク部類Ｄは、図３〜図７では、説明の便宜上ドット状にして明示しているが、実際には、広告の一部を構成するとともに、外観上において広告の他の部分と融合して他の部分と見分けがつかないようにしたものである。そして、このリンク部類Ｄをマウスポインタでクリックすると、リンク部類Ｄに内蔵したリンク機能が惹起して、然るべきリンク先のページが表示されるようにしたものである。なお、本実施形態では、このリンク部類Ｄが、1画素程度の大きさを有するように構成しているが、これに限られるものではない。
【００４４】
また、リンク部類Ｄの配置場所については、広告の重要なポイント（商品写真や商品説明文）若しくはその近傍に設けるようにしている。重要なポイントを判定する作業は、リンク部類Ｄを設定するオペレータが行うようにしているが、適宜方法で当該サーバ装置Ｐ１に担わせるようにしても良い。
【００４５】
以下、広告システムＡを構成するサーバ装置Ｐ１、端末装置Ｐ２について具体的に説明する。
【００４６】
サーバ装置Ｐ１は、一般的なサーバ機能を有するものであって、図１２に示すように、ＣＰＵ１０１、内部メモリ１０２、ＨＤＤ等の外部記憶装置１０３、マウスやキーボードなどの入力インタフェース１０４、液晶ディスプレイなどの表示手段１０５、インターネット等の通信回線網に接続するための通信インタフェース１０６等を具備している。
【００４７】
そして、このサーバ装置Ｐ１は、その内部メモリ１０２に記憶されたサーバ装置Ｐ１用プログラムにしたがって前記ＣＰＵ１０１や周辺機器を作動し、図１３に示すように、ページ情報格納手段１ａ、ページ情報送信手段１ｂ、所定ページアクセス管理手段たる当選ページアクセス管理手段１ｃ、所定ページアクセス禁止手段たる当選ページアクセス禁止手段１ｄ、当選個数管理手段１ｅ、滞留時間情報受信手段１ｆ等としての機能を発揮する。
【００４８】
以下、各手段について詳述する。
【００４９】
ページ情報格納手段１ａは、ポータルページ、トップページ、広告ページ、当選ページ、および落選ページ（以下、ページ類と総称する。）を端末装置Ｐ２に表示させるためのデータを、ページ情報として格納するものであって、前記内部メモリ１０２または前記外部記憶装置１０３の所定領域に形成してなる。
【００５０】
ページ情報送信手段１ｂは、前記ページ情報格納手段１ａに格納しているページ情報を、前記端末装置Ｐ２に対して送信するものであって、前記通信インタフェース１０６等を利用して構成している。なお、本実施形態では、このページ情報送信手段１ｂがページ情報を送信するタイミングは、前記端末装置Ｐ２からページ情報を送信する旨のリクエスト命令を受信したときとしている。
【００５１】
当選ページアクセス管理手段１ｃは、当選ページへのアクセスがあったか否かを管理するものである。
【００５２】
なお、本実施形態では、前記ページ情報送信手段１ｂの送信状態を管理することにより、そのページ情報送信手段１ｂが、当選ページを１度送信すれば、当選ページへのアクセスがあったと判定するようにしている。
【００５３】
当選ページアクセス禁止手段１ｄは、前記当選ページアクセス管理手段１ｃが、当選ページへのアクセスがあったと判定した際に、その当選ページへの再度のアクセスを禁止するものである。
【００５４】
具体的に本実施形態における当選ページへのアクセスを禁止する方法としては、前記ページ情報送信手段１ｂが、端末装置Ｐ２への当選ページを表示するためのページ情報の送信を禁止する方法を採用している。
【００５５】
当選個数管理手段１ｅは、前記景品の当選個数を管理するものである。
【００５６】
具体的に、この当選個数管理手段１ｅが前記景品の当選個数を管理する方法について説明すると、本実施形態では、前記ページ情報送信手段１ｂが、当選ページに係るページ情報を送信した際に、その当選ページに係る景品が、その当選ページに係るページ情報を送信した端末装置Ｐ２にて当選したものであると判定するようにしている。ここで、「当選ページに係る景品」とは、その当選ページに直接または間接的に記載されている景品が挙げられる。
【００５７】
加えて、本実施形態では、この当選個数管理手段１ｅが、前記ページ情報格納手段１ａに格納しているページ情報に対して、景品に係る情報を修正する動作を行うようにしている。具体的には、例えば、広告主の広告に係る当選ページが、５ページあったとする。このときには、景品の当選個数が５個である旨の当選可能個数情報をその広告に係る広告ページ全てに対して含まれるようにし、その当選可能個数情報を端末装置Ｐ２で表示し得るようにする。そして、１つの当選ページにアクセスがあり、前記ページ情報送信手段１ｂが当選ページを送信したと検知すると、前記当選可能個数情報を景品の当選個数が４個である旨に修正し、且つ、その旨をその広告に係る広告ページ全てに対して含まれるように修正し、ページ情報格納手段１ａに格納する。
【００５８】
滞留時間情報受信手段１ｆは、前記端末装置Ｐ２から送信される滞留時間情報を受信するものであって、前記通信インタフェース１０６などを利用して構成している。
【００５９】
端末装置Ｐ２は、例えばパソコンやＰＤＡ等の一般的な情報処理機能を有するものであって、図１４に示すように、ＣＰＵ２０１、内部メモリ２０２、ＨＤＤ等の外部記憶装置２０３、マウスやキーボードなどの入力インタフェース２０４、液晶ディスプレイなどの表示手段２０５、インターネット等の通信回線網に接続するための通信インタフェース２０６等を具備している。
【００６０】
そして、この端末装置Ｐ２は、その内部メモリ２０２に記憶された端末装置Ｐ２用プログラムにしたがって前記ＣＰＵ２０１や周辺機器を作動し、図１３に示すように、ページ情報受信手段２ａ、キーワード受付手段２ｂ、キーワード判定手段２ｃ、ページ表示手段２ｄ、重なり判定手段２ｅ、マウスポインタ表示態様変容手段２ｆ、階層構造明示手段２ｇ、滞留時間計測手段２ｈ、滞留時間情報送信手段２ｉ、開始残り時間明示手段２ｊ等としての機能を発揮する。
【００６１】
以下、各手段について詳述する。
【００６２】
ページ情報受信手段２ａは、前記サーバ装置Ｐ１のページ情報送信手段１ｂからページ情報を受信するものであって、前記通信インタフェース２０６等を利用して構成している。なお、本実施形態では、リンク部類Ｄがマウスクリックされた際に、これをリクエスト命令としてサーバ装置Ｐ１へ送信し、このリクエスト命令に対するレスポンスがあった場合に、このページ情報受信手段２ａが、ページ情報を受信するようにしている。前記リクエスト命令には、リンク部類Ｄによって指定される受信の対象となるページ情報のＵＲＬなどが含まれている。
【００６３】
キーワード受付手段２ｂは、後述するページ表示手段２ｄが前記ページ情報受信手段２ａで受信したページ情報に基づきページ類を表示し得るようにするためのキーワードを受け付けるものであって、前記入力インタフェース１０４等を利用して構成している。
【００６４】
キーワード判定手段２ｃは、前記キーワード受付手段２ｂで受け付けたキーワードが正しいものであるか否かを判定するものである。
【００６５】
具体的にこのキーワード判定手段２ｃは、文字列が完全一致していれば、前記キーワード受付手段２ｂで受け付けたキーワードが正しいものであると判定し、完全一致していなければ正しいものでないと判定するようにしている。
【００６６】
また、本実施形態において、前記キーワードには、前記広告に関するものを採用するようにしている。
【００６７】
より具体的には、前記キーワードが、前記広告に係る質問（例えば、「ビールといえば？」）に対する答え（例えば、「○○○会社」）が挙げられる。
【００６８】
ページ表示手段２ｄは、前記ページ情報受信手段２ａで受信したページ情報に基づき、ページ類を表示するものである。なお、本実施形態では、前記表示手段２０５に表示されるインターネットエクスプローラ（登録商標）などのブラウザのウインドウに、ページ類が表示されるようにしている。
【００６９】
また、本実施形態では、前記キーワード判定手段２ｃが、前記キーワード受付手段２ｂで受け付けたキーワードが正しいものであると判定した際に、このページ表示部が、他の広告ページまたは当選ページを、前記一の広告ページに替えて表示するように構成している。
【００７０】
重なり判定手段２ｅは、前記ページ表示手段２ｄにより表示されるページに設けられてなる前記リンク部類Ｄに対して、マウスポインタが重なったか否かを判定するものである。
【００７１】
具体的な判定方法としては、例えば、表示手段２０５におけるリンク部類Ｄの座標位置と、マウスポインタの座標位置とが完全に一致した際に、それらが重なったと判定するようにしたものが挙げられる。このとき、リンク部類Ｄとマウスポインタとの座標位置が、例えば、数ミリ程度ずれていても、それらが重なっていいると判定するようにする等、重なり判定の精度は、実施態様に応じて適宜設定可能である。
【００７２】
マウスポインタ表示態様変容手段２ｆは、前記重なり判定手段２ｅで、前記リンク部類Ｄに対してマウスポインタが重なったと判定された際に、そのマウスポインタの表示態様を変容させるものである。具体的には、図３中などに示す態様（矢印マークＸ１）から、図３中などに示す態様（指先マークＸ２）に変容させるようにしているが、これに限られるものではない。
【００７３】
階層構造明示手段２ｇは、前記ページ情報受信手段２ａで受信したページ情報に含まれる階層構造情報に基づき、前記所定の階層構造を明示するものであって、前記表示手段２０５を利用して構成している。
【００７４】
なお、本実施形態において、サーバ装置Ｐ１が、端末装置Ｐ２から所定の階層構造を明示するための階層構造明示データを送信する旨の命令を受信した後に、ページ情報に前記階層構造明示データを含めて送信するように構成しているが、本実施形態では、後述する終了時間を経過しなければ、サーバ装置Ｐ１が端末装置Ｐ２に対して前記階層構造明示データを送信することができないようにしている。したがって、前記終了時間の経過までは、この階層構造明示手段２ｇが、所定の階層構造の表示をできないため、当選ページの報知に係る公正さを確保できる。
【００７５】
滞留時間計測手段２ｈは、前記ページ表示手段２ｄが前記広告ページを表示している表示時間を、滞留時間として計測するものである。また、ポータルページやトップページなどの他のページ類を表示している表示時間を含めて滞留時間とするようにしてもよい。
【００７６】
滞留時間情報送信手段２ｉは、前記滞留時間計測手段２ｈで計測した滞留時間を、滞留時間情報として前記サーバ装置Ｐ１に対して送信するものであって、前記通信インタフェース２０６等を利用して構成している。
【００７７】
開始残り時間明示手段２ｊは、前記ページ情報受信手段２ａで受信したページ情報に含まれる開始時間情報に基づき、その開始時間までの残り時間を開始残り時間として明示するものであって、前記表示手段２０５などを利用して構成している。
【００７８】
なお、本実施形態では、ページ情報を表示可能にする開始時間および表示不能にする終了時間を、サーバ装置Ｐ１の運営者が定めるようにしているが、これに限られない。
【００７９】
次に、本実施形態の広告システムＡの動作ついてフロー図などを用いて説明する。
【００８０】
（１）サーバ装置Ｐ１の動作について
まず、図１５に示すように、サーバ装置Ｐ１において、端末装置Ｐ２からその端末装置Ｐ２に対してページ情報を送信する旨のリクエスト命令を受信すると（ステップＳ１０１）、ページ情報送信手段１ｂが、ページ情報格納手段１ａに格納しているページ情報のうち、リクエスト命令によって指定されるページ情報を送信する（ステップＳ１０２）。
【００８１】
なお、図示はしていないが、前記ステップＳ１０２が実行される際に、当選ページアクセス管理手段１ｃが、前記ページ情報送信手段１ｂで送信しようとしている当選ページに係るページ情報の送信が既にあったと判定すれば（ステップＳＢ１０１）、当選ページアクセス禁止手段１ｄが、その送信を禁止する（ステップＳＢ１０２）ように構成している。
【００８２】
また、同様に図示はしていないが、当選個数管理手段１ｅが、前記ページ情報送信手段１ｂが、当選ページに係るページ情報を端末装置Ｐ２に対して送信した際に、その当選ページに係る景品が、その端末装置Ｐ２にて当選したものであると判定し、当選ページに係るページ情報とその端末装置Ｐ２を識別するための端末識別情報（例えば、個人情報など）とを関連付けて管理し（ステップＳＢ２０１）、さらに、ページ情報に含まれる当選可能個数情報を修正してページ情報格納手段１ａに格納する（ステップＳＢ２０２）ように構成している。
【００８３】
（２）端末装置Ｐ２の動作について
まず、図１６に示すように、ページ情報受信手段２ａが、サーバ装置Ｐ１からページ情報を受信すると（ステップＳ２０１）、キーワード受付手段２ｂがキーワードを受け付けるために、ポップアップウインドウを表示させる（ステップＳ２０２）。そして、キーワード判定手段２ｃが、前記キーワード受付手段２ｂで受け付けたキーワードが正しいと判定すれば（ステップＳ２０３）、ページ表示手段２ｄが、前記ページ情報受信手段２ａで受信したページ情報に基づき、ページ類を表示させる（ステップＳ２０４）。なお、本実施形態では、ステップＳ２０４において、ページ表示手段２ｄがページ類を表示する際に、開始残り時間明示手段２ｊが、前記ページ情報受信手段２ａで受信したページ情報に含まれる開始時間情報と、当該端末装置Ｐ２の内部クロックとに基づき、開始残り時間を算出し、算出した開始残り時間をページ類内に明示するようにしている。
【００８４】
また、本実施形態では、滞留時間情報受信手段１ｆが、端末装置Ｐ２から送信されてくる滞留時間情報を、適宜タイミングで受信するようにしている。
【００８５】
次に、重なり判定手段２ｅが、ページ類内の広告に設けられたリンク部類Ｄと、マウスポインタとが重なったと判定すれば（ステップＳ２０５）、マウスポインタ表示態様変容手段２ｆが、マウスポインタの表示態様を、図３中などに示す態様（矢印マークＸ１）から、図３中などに示す態様（指先マークＸ２）に変容させる（ステップＳ２０６）。
【００８６】
そして、その変容する位置で、マウスポインタがクリックされると（ステップＳ２０７）、そのリンク部類Ｄに係るページ情報を受信するためのリクエスト命令をサーバ装置Ｐ１に対して送信する（ステップＳ２０８）。
【００８７】
なお、図示はしていないが、ページ表示手段２ｄがページ類を表示している時間を、滞留時間計測手段２ｈが計測し（ステップＳＢ３０１）、滞留時間計測手段２ｈが計測した時間を滞留時間情報として、滞留時間情報送信手段２ｉがサーバ装置Ｐ１に対して送信する（ステップＳＢ３０２）ように構成している。
【００８８】
このように、本実施形態に係る広告システムＡは、広告の上でマウスポインタを任意に移動させてリンク部を探し出すといった動作をする際に、重なり判定手段２ｅが、リンク部とマウスポインタとが重なったと判定しなければ、マウスポインタ表示態様変容手段２ｆがマウスポインタを変容させないため、そのマウスポインタが変容するまでは、利用者は、マウスポインタを広告上を隈無く移動することを余儀なくされる。これにより、利用者は、より深く広告を見ることとなるので、広告の認知度をより高くすることができる。また、リンク部を、広告の重要なポイントに設けているので、その重要なポイントを有効に利用者へアピールすることができる。
【００８９】
すなわち、広告の高い認知度を得られ且つ広告の中でも特に重要度の高いポイントを正確にアピール可能であるといった、高性能な広告システムＡを提供することができる。
【００９０】
なお、前記所定の階層構造が２分木型ツリー構造としているので、非常に簡単に、その所定の階層構造を構築できる。
【００９１】
そして、下位階層にページを有さずツリー構造におけるリーフを構成する全ての広告ページまたは当選ページが、最上位階層に位置付けられツリー構造におけるルートを構成するトップページから等しい深度の階層に位置付けられるようにしているので、所定の階層構造の単純化を図れ使いやすい。
【００９２】
また、下位階層に進むにしたがって、その上位階層よりも広告ページの広告内容が詳しくなるように構成しているので、利用者に対して、理解をより深めさせたり効果的な印象を与えたりすることが可能な広告を提供できる。
【００９３】
また、前記所定の階層構造を構成すべく最上位階層に位置付けられてなりツリー構造におけるルートを構成するトップページへの入り口となるポータルページを設け、このポータルページに、複数の広告主がそれぞれ提供する複数の広告を表示するように構成しているため、複数の広告主が提供する広告を表示して、さらなる利用者の利用を促進することができる。
【００９４】
また、当選ページに、前記広告の広告主から提供される景品に当選した旨を含めているので、その景品により利用者の参加意欲を有効に刺激して、システムの利用を効果的に促すことができる。
【００９５】
そして、前記景品の当選個数を管理する当選個数管理手段１ｅを具備し、前記当選個数管理手段１ｅで管理され且つ利用者に提供し得る残りの当選個数を、前記広告ページに表示するように構成しているので、より有効にシステムの利用を促すことができる。
【００９６】
さらに、前記所定の階層構造を明示する階層構造明示手段２ｇを具備するようにしているため、利用者は当選ページの位置を具体的に知ることができるので、当該システムの公平性および正確性を容易に理解させてることができ、また、当選ページへのアクセスした利用者を公表することなく、利用者のプライバシーを守りながら、当該システムに対する信頼性及び公平性を保つことができる。さらに、当選ページへのアクセスへの期待を高めて当該システムへの参加率をも高めることもできる。
【００９７】
また、当選ページへのアクセスがあったか否かを管理する当選ページアクセス管理手段１ｃと、前記当選ページアクセス管理手段１ｃが、当選ページへのアクセスがあったと判定した際に、その当選ページへの再度のアクセスを禁止する当選ページアクセス禁止手段１ｄとを具備するようにしているため、一度アクセスのあった当選ページへの再度のアクセスを有効に防止して、利用者に無駄な動作をさせることのない使い勝手のよい広告システムＡを提供することができる。
【００９８】
さらに、前記広告ページを表示している表示時間を滞留時間として計測する滞留時間計測手段２ｈを具備しているため、滞留時間から広告の露出時間を知ることができるので、その広告の費用対効果などを知ることができる。
【００９９】
また、キーワードを受け付けるキーワード受付手段２ｂと、前記キーワードが正しいものであるか否かを判定するキーワード判定手段２ｃとを具備し、キーワード判定手段２ｃが、前記キーワード受付手段２ｂで受け付けたキーワードが正しいものであると判定した際に、前記ページ表示部が、他の広告ページまたは当選ページを、前記一の広告ページに替えて表示するように構成しているため、キーワード受付手段２ｂで受け付けたキーワードが正しいもので無ければ、広告ページや当選ページの表示がなされないので、そのキーワードによってセキュリティを確保可能な広告システムＡを実現できる。
【０１００】
なお、前記キーワードが、前記広告に係る質問に対する答えといった前記広告に関するものとしているので、そのキーワードと広告とを有効に関連させて、非常に効果的な広告を提供することができる。
【０１０１】
また、前記広告ページおよび前記当選ページを表示可能にする開始時間が定められてなり、その開始時間までの残り時間を開始残り時間として明示する開始残り時間明示手段２ｊを具備するようにしているため、利用者は開始時間を具体的に知ることができるので、時間を有効利用できる。また、複数の広告を提供する際に、それぞれの開始時間をずらすこともできるので、広告システムＡの負荷分散も可能となる。
【０１０２】
加えて、前記所定の階層構造が、前記当選ページと同階層に、前記当選ページでない旨を示す落選ページを備えるものであり、また、前記広告ページが、前記当選ページリンク部とともに前記落選ページを表示させるための落選ページリンク部を備えるものであり、さらに、前記ページ表示手段２ｄが、前記落選ページをさらに表示し得るものであり、且つ、前記重なり判定手段２ｅが、前記ページ表示手段２ｄにより表示される落選ページに設けられてなる落選ページリンク部に対してマウスポインタが重なったか否かをさらに判定し得るものであり、さらにまた、前記マウスポインタ表示態様変容手段２ｆが、前記重なり判定手段２ｅで、前記落選ページリンク部に対してマウスポインタが重なったと判定した際に、そのマウスポインタの表示態様をさらに変容させるように構成しているので、利用者は、当選ページであるか落選ページであるのかを、択一的に知ることができる。
【０１０３】
また、落選ページが、前記所定の階層構造における最上位階層に戻り得るボタンＢ１を具備しているため、落選ページにアクセスした利用者が、当該システムの再度の利用を行うこともでき、広告システムＡのさらなる利用を推進できる。
【０１０４】
なお、本発明は、以上に詳述した実施形態に限られるものではない。
【０１０５】
例えば、本実施形態では、マウスポインタ表示態様変容手段２ｆが、前記重なり判定手段２ｅで、前記リンク部類Ｄに対してマウスポインタが重なったと判定された際に、具体的には、図３中などに示す態様（矢印マークＸ１）から、図３中などに示す態様（指先マークＸ２）に変容させるようにしているが、このマウスポインタ表示態様変容手段２ｆを用いずに、利用者にリンク部類Ｄとマウスポインタとが重なったことを報知する重なり報知手段（図示せず）を具備するようにしてもよい。この重なり報知手段が報知する具体的な態様としては、メロディーやビープ音などの音による報知の方法や、広告側の重なった部分の色の変容を行う方法などが挙げられる。
【０１０６】
また、本実施形態では、ポータルページをトップページの上位の階層に設けているが、このポータルページを設けなくてもよい。また、ポータルページからトップページを介さずに第２階層の広告ページを直接表示し得るようにしても構わない。
【０１０７】
さらに、当選ページや落選ページを、最下位の階層たる第６階層にのみ設けているが、他の階層に設ける態様も考えられる。
【０１０８】
さらにまた、ツリー構造を、すべての分岐先において、トップページから等しい深度を有するように構成しているが、異なる深度を有するようにしてもよい。また、１のノードに対して下位階層に向けた枝が３以上あってもよい。
【０１０９】
また、当該広告システムＡを、ＢＳデジタル放送などに適用することもできる。
【０１１０】
この場合には、例えば、図１５に示すように、放送局Ｐ３からの放送を衛星Ｅを介し受信してテレビジョン受像機ＴＶに表示可能であり、且つ、インターネットＩＮＥＴにも接続されるセットトップボックスＳＴＢに、前記端末装置Ｐ２の各種機能を具備させればよい。
【０１１１】
このように構成すれば、例えば、プラチナチケットやプレミア商品を景品にし、宝探しの開始日時をテレビコマーシャルで放送することにより、テレビ放映と宝探し時における２重の宣伝効果を得ることができる。
【０１１２】
また、テレビの企画番組（景品をプレゼントする番組）を通じて、利用者がパスワードを入手し、そのパスワードで宝探しが開始できるようにすれば、テレビとインターネットとを効果的に融合させた高付加価値な番組つくりをすることができ、テレビ利用時とインターネット利用時とにおける２重の広告効果を得られる企画番組を作ることも可能になる。
【０１１３】
またさらに、はがきや名刺等にパスワードを記しておくようにしてもよい。
【０１１４】
加えて、所定の階層構造の階層数は任意に設定でき、例えば、階層数を２８階層に設定すれば、最下位階層は１３４，２１７，７２８ページ（約１億３千万ページ）となり、日本の人口を略カバーすることができる。
【０１１５】
さらに、トップページを図１８に示す表示態様のものとしたり、落選ページを図１９に示す表示態様のものとするなど、実施態様に応じて適宜変更することができる。
【０１１６】
その他、各部の具体的構成についても上記実施形態に限られるものではなく、本発明の趣旨を逸脱しない範囲で種々変形が可能である。
【図面の簡単な説明】
【０１１７】
【図１】本発明の一実施形態における広告システムの全体の機器構成を示す全体機器構成図。
【図２】同実施形態におけるポータルページ（第０階層）の表示態様を示す図。
【図３】同実施形態における広告ページ（第１階層、トップページ）の表示態様を示す図。
【図４】同実施形態における広告ページ（第２階層）の表示態様を示す図。
【図５】同実施形態における広告ページ（第３階層）の表示態様を示す図。
【図６】同実施形態における広告ページ（第４階層）の表示態様を示す図。
【図７】同実施形態における広告ページ（第５階層）の表示態様を示す図。
【図８】同実施形態における当選ページの表示態様を示す図。
【図９】同実施形態における落選ページの表示態様を示す図。
【図１０】同実施形態における所定の階層構造を模式的に示す図。
【図１１】同実施形態における所定の階層構造の具体的構成内容を説明するための説明図。
【図１２】同実施形態におけるサーバ装置の機器構成図。
【図１３】同実施形態における広告システムの機能構成図。
【図１４】同実施形態における端末装置の機器構成図。
【図１５】同実施形態におけるサーバ装置の動作を示すフローチャート。
【図１６】同実施形態における端末装置の動作を示すフローチャート。
【図１７】本発明の他の実施形態における広告システムの全体の機器構成を示す全体機器構成図。
【図１８】同実施形態におけるトップページの他の表示態様を示す図。
【図１９】同実施形態における落選ページの他の表示態様を示す図。
【符号の説明】
【０１１８】
Ａ・・・・広告システム
Ｐ１・・・サーバ装置
Ｐ２・・・端末装置
１ｃ・・・所定ページアクセス管理手段（当選ページアクセス管理手段）
１ｄ・・・所定ページアクセス禁止手段（当選ページアクセス禁止手段）
１ｅ・・・当選個数管理手段
２ｂ・・・キーワード受付手段
２ｃ・・・キーワード判定手段
２ｄ・・・ページ表示手段
２ｅ・・・重なり判定手段
２ｆ・・・マウスポインタ表示態様変容手段
２ｇ・・・階層構造明示手段
２ｈ・・・滞留時間計測手段
２ｊ・・・開始残り時間明示手段
Ｘ１・・・マウスポインタ（矢印マーク）
Ｘ２・・・マウスポインタ（指先マーク）
ｋ１・・・当選個数
ｋ２・・・利用者に提供し得る残りの当選個数
Ｂ１・・・リターン部（ボタン）
【図１】
2005301502.tif 000003
【図２】
2005301502.tif 000004
【図３】
2005301502.tif 000005
【図４】
2005301502.tif 000006
【図５】
2005301502.tif 000007
【図６】
2005301502.tif 000008
【図７】
2005301502.tif 000009
【図８】
2005301502.tif 000010
【図９】
2005301502.tif 000011
【図１０】
2005301502.tif 000012
【図１１】
2005301502.tif 000013
【図１２】
2005301502.tif 000014
【図１３】
2005301502.tif 000015
【図１４】
2005301502.tif 000016
【図１５】
2005301502.tif 000017
【図１６】
2005301502.tif 000018
【図１７】
2005301502.tif 000019
【図１８】
2005301502.tif 000020
【図１９】
2005301502.tif 000021